(57)【要約】【課題】乾燥用空気が循環するダクトの回転ドラムより下流、かつ凝縮器より上流部分の乾燥用空気を冷却水で冷却するという簡単な構成により、ヒートポンプ機構の放熱量と吸熱量のアンバランス補正を行なう衣類乾燥機を得る。【解決手段】凝縮器により加熱された乾燥用空気を、水分を含んだ衣類が投入されている回転ドラム内へ送り、前記衣類から水分を取り除き、さらに水分を含んだ乾燥用空気を蒸発器に通して除湿した後、再び凝縮器で加熱して乾燥用空気を循環させるように構成された衣類乾燥機において、前記回転ドラムより下流でかつ凝縮器より上流部分の乾燥用空気内に冷却水を散布することで、循環する乾燥用空気を冷却してヒートポンプ機構の放熱量と吸熱量のアンバランスを補正するようにする。【選択図】  図１
2005027768.tif 000002
【特許請求の範囲】
【請求項１】
凝縮器により加熱された乾燥用空気を、水分を含んだ衣類が投入されている回転ドラム内へ送り、前記衣類から水分を取り除き、さらに水分を含んだ乾燥用空気を蒸発器に通して除湿した後、再び凝縮器で加熱して乾燥用空気を循環させるように構成された衣類乾燥機において、前記回転ドラムより下流でかつ凝縮器より上流部分の乾燥用空気内に冷却水を散布することを特徴とする衣類乾燥機。
【請求項２】
凝縮器により加熱された乾燥用空気を、水分を含んだ衣類が投入されている回転ドラム内へ送り、前記衣類から水分を取り除き、さらに水分を含んだ乾燥用空気を蒸発器に通して除湿した後、再び凝縮器で加熱して乾燥用空気を循環させるように構成された衣類乾燥機において、前記回転ドラムより下流、かつ蒸発器より上流部分の乾燥用空気に冷却水を散布することを特徴とする衣類乾燥機。
【請求項３】
凝縮器により加熱された乾燥用空気を、水分を含んだ衣類が投入されている回転ドラム内へ送り、前記衣類から水分を取り除き、さらに水分を含んだ乾燥用空気を蒸発器に通して除湿した後、再び凝縮器で加熱して乾燥用空気を循環させるように構成された衣類乾燥機において、前記回転ドラムからの乾燥用空気を凝縮器及び蒸発器に導く乾燥用空気循環ダクトを備え、前記回転ドラムより下流、かつ凝縮器より上流部分の乾燥用空気循環ダクトを冷却する冷却ファンを設けたことを特徴とする衣類乾燥機。
【発明の詳細な説明】
【０００１】
【発明の属する技術分野】
この発明は、凝縮器及び蒸発器を有するヒートポンプ機構を備えた衣類乾燥機に関する。
【０００２】
【従来の技術】
従来、ヒートポンプ機構により除湿・加熱を行う衣類乾燥機においては、乾燥用の循環空気をヒートポンプ機構の凝縮器で加熱して回転ドラムへ送って回転ドラム内の衣類から水分を奪い取り、この水分を含んだ乾燥用空気を蒸発器で冷却して除湿した後、再度凝縮器で加熱し、回転ドラム内へ循環させて衣類の乾燥を行なっている。このような乾燥動作においては、凝縮器の放熱量と蒸発器の吸熱量のアンバランスによりヒートポンプ機構の冷媒温度（冷媒圧力）が上がり過ぎて上記ヒートポンプ機構が停止しないように、前記凝縮器の一部に放熱器を設けて放熱させ、熱のアンバランス補正を行っている。（例えば特許文献１参照）。
【０００３】
【特許文献１】
特公平６−７５６２８号公報（第２−３頁、第１図）
【０００４】
【発明が解決しようとする課題】
従来の衣類乾燥機では、乾燥用の循環空気を加熱する凝縮器の放熱量と除湿する蒸発器の吸熱量のアンバランス補正を行なう必要があり、凝縮器の一部を衣類乾燥機本体外に延長して放熱器を設けたり、この放熱器を放熱する場合としない場合の冷媒回路の切替弁が必要であったりなど、構造が複雑化していたという問題点があった。
【０００５】
この発明は、上述のような課題を解決するためになされたもので、その目的は、簡単な構成でヒートポンプ機構の放熱量と吸熱量との熱のアンバランス補正を行なうことができる衣類乾燥機を得るものである。
【０００６】
【課題を解決するための手段】
この発明に係る衣類乾燥機は、凝縮器により加熱された乾燥用空気を、水分を含んだ衣類が投入されている回転ドラム内へ送り、前記衣類から水分を取り除き、さらに水分を含んだ乾燥用空気を蒸発器に通して除湿した後、再び凝縮器で加熱して乾燥用空気を循環させるように構成された衣類乾燥機において、前記回転ドラムより下流でかつ凝縮器より上流部分の乾燥用空気内に冷却水を散布するものである。
【０００７】
【発明の実施の形態】
実施の形態１．
図１は、この発明の実施の形態１における衣類乾燥機を示す構成図である。図１において、外箱１内に乾燥衣類２を収容する回転ドラム３が設けられ、回転ドラム３の側面には乾燥用空気の吹き込み口４と乾燥用空気の排出口５が形成され、円周壁面には乾燥衣類２の衣類の出し入れ口６も形成されている。回転ドラム３はモータ７により回転駆動される。回転ドラム３の排出口５には乾燥用空気が循環するダクト８が接続され、このダクト８の経路中には回転ドラム３の排出口５からの乾燥用空気が循環する下流に向かって、乾燥用空気に含まれるリントを捕集するリントフィルター９、乾燥用空気が含む水分を除湿するエバポレータなどの蒸発器１０、乾燥用空気を加熱するコンデンサなどの凝縮器１１、循環ファン１２が配置されて吹き込み口４に接続され、蒸発器１０と凝縮器１１とコンデンサ１３によりヒートポンプ機構を構成している。そして、凝縮器１１と蒸発器１０との間の乾燥用空気中に冷却水を散布するノズル１４を設け、該ノズル１４への給水は給水弁１５で行う。外箱１には、蒸発器１０が除湿した水とノズル１４から散布される冷却水を排水する排水口１６を設けている。
【０００８】
このように構成された衣類乾燥機における乾燥運転動作について、図１に基いて説明する。回転ドラム３内に乾燥する乾燥衣類２を入れて運転を開始すると、コンプレッサー１３が始動し蒸発器１０が冷却され、凝縮器１１が加熱される。また、モータ７により回転ドラムが回転し、循環ファン１２が始動して乾燥用空気がダクト８内を循環する。まず、乾燥運転開始直後の予熱乾燥期では、乾燥用空気は凝縮器１１で加熱されて回転ドラム３に入り、乾燥衣類２の水分を奪い多湿状態になり、リントフィルター９により空気中のリントを捕集した後、蒸発器１０にて除湿され、再び凝縮器１１で加熱されて回転ドラム３内へと循環を繰り返し、乾燥衣類２を乾燥させる。このとき、凝縮器１１が空気を加熱する熱量は、蒸発器１０により吸収する空気の熱量に比べ、コンプレッサー１３を駆動するエネルギーの分だけ大きい熱量のアンバランス状態にある。そのため、循環空気の温度が上昇し、さらにヒートポンプ機構を循環する冷媒の温度が上昇していく。
【０００９】
続いて、循環空気の温度が十分に上昇した恒率乾燥期に入ると、給水弁１５が開いてノズル１４から冷却水の散布が始まる。つまり、蒸発器１０で冷やされ除湿された後の乾燥用空気中にノズル１４から冷却水を散布し、この冷却水と熱交換することで空気から熱量をうばい、熱量のアンバランス補正動作を行う。
【００１０】
このように構成された衣類乾燥機においては、別途放熱器を設けて本体を大型化することなく、簡単な構成で熱のアンバランス補正をすることができ、ヒートポンプ機構の冷媒温度（冷媒圧力）を所定値以下に保ち安全に乾燥運転を行なうことができる。
【００１１】
実施の形態２．
図２は、この発明を実施するための実施の形態２における衣類乾燥機を示す構成図である。図２において、１〜１３は上記実施の形態１と同一であり、その説明は省略する。回転ドラム３の排出口５と蒸発器１０との間の乾燥用循環空気内に冷却水を散布するノズル２０を設け、該ノズル２０への給水は給水弁２１で行う。外箱１には、蒸発器１０が除湿した水とノズル２０から散布される冷却水を排水する排水口２２を設けている。
【００１２】
このように構成された衣類乾燥機における乾燥運転動作について、図２に基づいて説明する。乾燥運転開始直後の予熱乾燥期の乾燥動作は上記実施の形態１と同様であり、その説明は省略する。そして、循環空気の温度が十分に上昇した恒率乾燥期に入ると、給水弁２１が開いてノズル２０から冷却水の散布が始まる。乾燥衣類２から水分を奪い多湿状態になった乾燥用空気が排出口５からダクト８に入ると、ノズル２０から散布される冷却水と熱交換して温度を下げられる。続いて、蒸発器１０で冷やされ除湿された後、再び凝縮器１１で加熱されて回転ドラム３内へ循環されて乾燥衣類２が乾燥される。
【００１３】
このように構成された衣類乾燥機においては、別途放熱器を設けて本体を大型化することなく、簡単な構成で熱のアンバランス補正をすることができ、ヒートポンプ機構の冷媒温度（冷媒圧力）を所定値以下に保ち、安全に乾燥運転を行なうことができる。また、ノズル２０からの冷却水の水滴がダクト８を循環する乾燥用空気により下流に運ばれても、蒸発器１０で水滴が捕獲され凝縮器１１にまで達することがないので、凝縮器１１の熱が水滴の蒸発に消費されることがなく効率の良い乾燥を行うことができる。
【００１４】
実施の形態３．
図３は、この発明を実施するための実施の形態３における衣類乾燥機を示す構成図である。図３において、１〜１３は前記実施の形態１と同様であり、その説明は省略する。回転ドラム３の排出口５からの乾燥空気を凝縮器１１に送るダクト８の回転ドラム３より下流かつ凝縮器１１よりも上流部分を冷却する冷却ファン３０を設け、外箱１に冷却ファン３０の冷却用外部空気の吸い込み孔と吐き出し孔を設けている（図示せず）。また、外箱１には蒸発器１０が除湿した水排水する排水口３１を設けている。
【００１５】
このように構成された衣類乾燥機における乾燥運転動作について、図３に基づいて説明する。乾燥運転開始直後の予熱乾燥期の乾燥動作は上記実施の形態１と同様であり、その説明は省略する。そして、循環空気の温度が十分に上昇した恒率乾燥期に入ると、冷却ファン３０が始動し、回転ドラム３から凝縮器１１の間のダクト８に冷却風を当てダクト８の冷却を開始する。その結果、ダクト８内を循環する乾燥用空気は冷やされたダクト８と熱交換してその温度が下げられる。
【００１６】
このように構成された衣類乾燥機においては、回転ドラム３より下流かつ凝縮器１１よりも上流部分のダクト８を冷却することにより、熱のアンバランス補正をすることができ、ヒートポンプ機構の冷媒温度と圧力を所定値以下に保ちながら安全に乾燥運転を行なうことができる。
また、回転ドラム３より下流かつ凝縮器１１よりも上流部分のダクト８の冷却を冷却水で行っても良いが、上記実施の形態３のように冷却ファンで行なえば、冷却水を使わないので節水にもなる。
【００１７】
実施の形態４．
また、図４に示すように、恒率乾燥期において、蒸発器１０で冷やされ除湿された後の乾燥用空気の冷却を、乾燥用空気中に配設した銅パイプ４０に水を通すことで行うようにしても良い。銅パイプ４０には給水弁４１により給水を行い、外箱１には蒸発器１０が除湿した水と銅パイプ４０に通した水を排水する排水口４２を設けている。
つまり、銅パイプ４０を蒸発器１０で除湿された乾燥用空気と接触するように設けることで、熱交換により乾燥用空気の冷却を行なうようにしても良く、恒率乾燥期における蒸発器１０により除湿された乾燥用空気の冷却を水冷式とする方法は上記実施の形態１〜３に限るものではない。
【００１８】
なお、上記実施の形態１〜４は衣類乾燥機であるが、これに限るものではなく、洗濯乾燥機など乾燥機能を有するものにも利用でき、同様の効果を奏することができる。
【００１９】
【発明の効果】
この発明は以上説明したように、乾燥用空気が循環するダクトの回転ドラムより下流、かつ凝縮器より上流部分の乾燥用空気を冷却水で冷却するという簡単な構成により、ヒートポンプ機構の放熱量と吸熱量のアンバランス補正を行なうことができる。
【図面の簡単な説明】
【図１】この発明の実施の形態１を示す衣類乾燥機の構成図である。
【図２】この発明の実施の形態２を示す衣類乾燥機の構成図である。
【図３】この発明の実施の形態３を示す衣類乾燥機の構成図である。
【図４】この発明の実施の形態４を示す衣類乾燥機の構成図である。
【符号の説明】
１  外箱、２  乾燥衣類、３  回転ドラム、４  吹き込み口、５  排出口、６  出し入れ口、７  モータ、８  ダクト、９  リントフィルター、１０  蒸発器（蒸発器）、１１  凝縮器（凝縮器）  １２  循環ファン、１３  コンプレッサ、１４  ノズル、１５  給水弁、１６  排水口、２０  ノズル、２１  給水弁、２２  排水口、３０  冷却ファン、３１  排水口、４０  銅パイプ、４１  給水弁、４２  排水口。
【図１】
2005027768.tif 000003
【図２】
2005027768.tif 000004
【図３】
2005027768.tif 000005
【図４】
2005027768.tif 000006